(57)【要約】【課題】基礎の施工のし易さや基礎の強度性能等を考慮できる配筋ユニットの割付けを行う。【解決手段】本発明の配筋ユニットを割付ける方法は、構造計算に基づいて定められた、建物の基礎の配筋ユニットの割付パターンにおいて、同種の配筋ユニットが直線状に隣り合って並んでいる場合に、これらの配筋ユニット線分を統合して一つの配筋ユニット線分として認識する工程と、当該配筋ユニット線分において、所定の条件に基づいて分割を不可とする位置を設定する工程と、前記分割不可位置を除く位置で前記配筋ユニット線分を分割して、最終的な配筋ユニットの割付けとする工程と、を有する。【選択図】図２
2014174964.tif 000002
【特許請求の範囲】
【請求項１】
構造計算に基づいて定められた、建物の基礎の配筋ユニットの割付パターンに基づいて、建物の基礎の配筋ユニットを割付け直す配筋ユニットの割付け方法であって、
前記割付パターンにおいて、同種の配筋ユニットが直線状に隣り合って並んでいる場合に、これらの配筋ユニット線分を統合して一つの配筋ユニット線分として認識する工程と、
当該配筋ユニット線分において、所定の条件に基づいて分割を不可とする位置を設定する工程と、
前記分割不可位置を除く位置で前記配筋ユニット線分を分割して、最終的な配筋ユニットの割付けとする工程と、
を有する配筋ユニットの割付け方法。
【請求項２】
前記配筋ユニット線分を分割する工程より前に、筋径の異なる配筋ユニット線分が直線状に並んでいる場合に、筋径の太い方の配筋ユニット線分を長くし、筋径の細い方の配筋ユニット線分を短くして、各配筋ユニット線分の端部の位置を移動させる工程をさらに有する、請求項１に記載の配筋ユニットの割付け方法。
【請求項３】
前記配筋ユニット線分を分割する工程より前に、筋径の異なる配筋ユニットが直線状に並んでいる場合に、筋径の細い方の配筋ユニット線分を筋径の太い方の配筋ユニット線分に置換すると共に統合して、一つの配筋ユニット線分として認識する工程をさらに有する、請求項１又は２に記載の配筋ユニットの割付け方法。
【請求項４】
筋径の太い配筋ユニット線分の間に筋径の細い配筋ユニット線分が直線状に並んでいる場合に、筋径の細い配筋ユニット線分を前記筋径の太い配筋ユニット線分に置換すると共に統合し、少なくともこれら３つの配筋ユニット線分を一つの配筋ユニット線分として認識する工程をさらに有する、請求項３に記載の配筋ユニットの割付け方法。
【請求項５】
前記配筋ユニット線分を分割する工程より前に、強度の異なる配筋ユニット線分が交差している場合に、当該交差点において、強度の低い方の配筋ユニット線分を分割する工程をさらに有する、請求項１〜４のいずれかに記載の配筋ユニットの割付け方法。
【請求項６】
前記配筋ユニット線分の端部、及び複数の配筋ユニット線分が相互に接する点から所定距離以内の位置の分割を不可とする、請求項１〜５のいずれかに記載の配筋ユニットの割付け方法。
【請求項７】
構造計算に基づいて定められた、建物の基礎の配筋ユニットの割付パターンに基づいて、建物の基礎の配筋ユニットを割付け直す配筋ユニットの割付け装置であって、
前記割付パターンにおいて、同種の配筋ユニットが直線状に隣り合って並んでいる場合に、これらの配筋ユニット線分を統合して一つの配筋ユニット線分として認識する認識手段と、
当該配筋ユニット線分において、所定の条件に基づいて分割を不可とする位置を設定する設定手段と、
前記分割不可位置を除く位置で前記配筋ユニット線分を分割して、最終的な配筋ユニットの割付けとする割付け手段と、
を有する配筋ユニットの割付け装置。
【請求項８】
筋径の異なる配筋ユニット線分が直線状に並んでいる場合に、筋径の太い方の配筋ユニット線分を長くし、筋径の細い方の配筋ユニット線分を短くして、各配筋ユニット線分の端部の位置を移動させる移動手段をさらに有する、請求項７に記載の配筋ユニットの割付け装置。
【請求項９】
筋径の異なる配筋ユニットが直線状に並んでいる場合に、筋径の細い方の配筋ユニット線分を筋径の太い方の配筋ユニット線分に置換すると共に統合して、一つの配筋ユニット線分として認識する認識手段をさらに有する、請求項７又は８に記載の配筋ユニットの割付け装置。
【請求項１０】
筋径の太い配筋ユニット線分の間に筋径の細い配筋ユニット線分が直線状に並んでいる場合に、筋径の細い配筋ユニット線分を前記筋径の太い配筋ユニット線分に置換すると共に統合し、少なくともこれら３つの配筋ユニット線分を一つの配筋ユニット線分として認識する認識手段をさらに有する、請求項９に記載の配筋ユニットの割付け装置。
【請求項１１】
強度の異なる配筋ユニット線分が交差している場合に、当該交差点において、強度の低い方の配筋ユニット線分を分割する分割手段をさらに有する、請求項７〜１０のいずれかに記載の配筋ユニットの割付け装置。
【請求項１２】
前記配筋ユニット線分の端部、及び複数の配筋ユニット線分が相互に接する点から所定距離以内の位置の分割を不可とする、請求項７〜１１のいずれかに記載の配筋ユニットの割付け装置。
【請求項１３】
請求項１〜６に記載の配筋ユニットの割付け方法をコンピュータに実行させるためのプログラム。
【発明の詳細な説明】
【技術分野】
【０００１】
本発明は、配筋ユニットの割付け方法、配筋ユニットの割付け装置及びプログラム
に関する。
【背景技術】
【０００２】
建物の基礎を施工には、当該基礎の形や強度に応じて複数種の配筋ユニットが用いられる。基礎の配筋ユニットは、複数本の鉄筋を縦横に格子状に組んだものである。基礎の配筋ユニットの長さや種類を選択するにあたっては、従来より、設計担当者等が、構造計算により求められた基礎の配筋ユニットの割付パターンの図から、手作業で各種配筋ユニットの割付けを行っていた。このため、かかる割付け作業に多大な労力と時間を要していた。
【０００３】
そこで、特許文献１には、基礎伏図を参照しながら基礎の割付け範囲を作業者自身に入力させ、当該割付け範囲内の割付けをコンピュータによる演算により行って、配筋ユニットの割付けを支援する設計支援システムが開示されている。
【先行技術文献】
【特許文献】
【０００４】
【特許文献１】特開２０１０−３３５４２号公報
【発明の概要】
【発明が解決しようとする課題】
【０００５】
しかしながら、上記設計支援システムは、作業者自身が基礎伏図をなぞって基礎の割付け範囲を規定していき、当該割付け範囲の中でどのように割付けるのが最も低コストとなるかといった観点で、割付け作業を支援するものであり、割付けの自由度がなく、基礎の施工し易さや基礎の強度性能の観点で割付け作業を行うことができない。
【０００６】
本発明はかかる点に鑑みてなされたものであり、基礎の施工のし易さや基礎の強度性能等を考慮した配筋ユニットの割付けを行うことが可能な配筋ユニットの割付け方法、配筋ユニットの割付け装置及びプログラムを提供することをその目的とする。
【課題を解決するための手段】
【０００７】
上記目的を達成するための本発明は、構造計算に基づいて定められた、建物の基礎の配筋ユニットの割付パターンに基づいて、建物の基礎の配筋ユニットを割付け直す配筋ユニットの割付け方法であって、前記割付パターンにおいて、同種の配筋ユニットが直線状に隣り合って並んでいる場合に、これらの配筋ユニット線分を統合して一つの配筋ユニット線分として認識する工程と、当該配筋ユニット線分において、所定の条件に基づいて分割を不可とする位置を設定する工程と、前記分割不可位置を除く位置で前記配筋ユニット線分を分割して、最終的な配筋ユニットの割付けとする工程と、を有する配筋ユニットの割付け方法である。
【０００８】
本発明によれば、直線状に隣り合う同じ配筋種の配筋ユニット線分を統合し、一つの配筋ユニット線分として認識した後、所定の条件で分割不可位置を設定し、その後当該分割不可位置を決定した状態で当該配筋ユニット線分を分割していくことで配筋ユニットを割付けるので、全体として配筋ユニットの数を減らすことができる。また、一旦配筋ユニット線分として長大化した上で、それを分割して配筋ユニットとして割付けを行うので、割付けの自由度も向上する。よって、基礎の施工のし易さや基礎の強度性能を考慮した配筋ユニットの割付けを行うことができる。
【０００９】
上記配筋ユニットの割付け方法は、前記配筋ユニット線分を分割する工程より前に、筋径の異なる配筋ユニット線分が直線状に並んでいる場合に、筋径の太い方の配筋ユニット線分を長くし、筋径の細い方の配筋ユニット線分を短くして、各配筋ユニット線分の端部の位置を移動させる工程をさらに有していてもよい。
【００１０】
また、前記配筋ユニット線分を分割する工程より前に、筋径の異なる配筋ユニットが直線状に並んでいる場合に、筋径の細い方の配筋ユニット線分を筋径の太い方の配筋ユニット線分に置換すると共に統合して、一つの配筋ユニット線分として認識する工程をさらに有していてもよい。
【００１１】
また、筋径の太い配筋ユニット線分の間に筋径の細い配筋ユニット線分が直線状に並んでいる場合に、筋径の細い配筋ユニット線分を前記筋径の太い配筋ユニット線分に置換すると共に統合し、少なくともこれら３つの配筋ユニット線分を一つの配筋ユニット線分として認識する工程をさらに有していてもよい。
【００１２】
また、前記配筋ユニット線分を分割する工程より前に、強度の異なる配筋ユニット線分が交差している場合に、当該交差点において、強度の低い方の配筋ユニット線分を分割する工程をさらに有していてもよい。
【００１３】
前記配筋ユニット線分の端部、及び複数の配筋ユニット線分が相互に接する点から所定距離以内の位置の分割を不可としてもよい。
【００１４】
別の観点による本発明は、構造計算に基づいて定められた、建物の基礎の配筋ユニットの割付パターンに基づいて、建物の基礎の配筋ユニットを割付け直す配筋ユニットの割付け装置であって、前記割付パターンにおいて、同種の配筋ユニットが直線状に隣り合って並んでいる場合に、これらの配筋ユニット線分を統合して一つの配筋ユニット線分として認識する認識手段と、当該配筋ユニット線分において、所定の条件に基づいて分割を不可とする位置を設定する設定手段と、前記分割不可位置を除く位置で前記配筋ユニット線分を分割して、最終的な配筋ユニットの割付けとする割付け手段と、を有する配筋ユニットの割付け装置である。
【００１５】
上記配筋ユニットの割付け装置は、筋径の異なる配筋ユニット線分が直線状に並んでいる場合に、筋径の太い方の配筋ユニット線分を長くし、筋径の細い方の配筋ユニット線分を短くして、各配筋ユニット線分の端部の位置を移動させる移動手段をさらに有していてもよい。
【００１６】
また、筋径の異なる配筋ユニットが直線状に並んでいる場合に、筋径の細い方の配筋ユニット線分を筋径の太い方の配筋ユニット線分に置換すると共に統合して、一つの配筋ユニット線分として認識する認識手段をさらに有していてもよい。
【００１７】
また、筋径の太い配筋ユニット線分の間に筋径の細い配筋ユニット線分が直線状に並んでいる場合に、筋径の細い配筋ユニット線分を前記筋径の太い配筋ユニット線分に置換すると共に統合し、少なくともこれら３つの配筋ユニット線分を一つの配筋ユニット線分として認識する認識手段をさらに有していてもよい。
【００１８】
また、強度の異なる配筋ユニット線分が交差している場合に、当該交差点において、強度の低い方の配筋ユニット線分を分割する分割手段をさらに有していてもよい。
【００１９】
前記配筋ユニット線分の端部、及び複数の配筋ユニット線分が相互に接する点から所定距離以内の位置の分割を不可としてもよい。
【００２０】
別の観点による本発明は、上述の配筋ユニットの割付け方法をコンピュータに実行させるためのプログラムである。
【発明の効果】
【００２１】
本発明によれば、基礎の施工のし易さや基礎の強度性能等を考慮した配筋ユニットの割付けを行うことができる。
【図面の簡単な説明】
【００２２】
【図１】割付け装置の構成図である。
【図２】割付け方法のフロー図である。
【図３】割付パターンの一例を示す説明図である。
【図４】家の基礎伏図の一例である。
【図５】配筋ユニットの種類を示す説明図である。
【図６】配筋ユニット線分を統合した状態を示す説明図である。
【図７】分割不可位置を示す説明図である。
【図８】配筋ユニット線分の端部の位置を移動させた状態を示す説明図である。
【図９】変更された分割不可位置を示す説明図である。
【図１０】太い配筋ユニット線分に置換、統合された状態を示す説明図である。
【図１１】交差点で強度の低い配筋ユニット線分を分割する状態を示す説明図である。
【図１２】再度設定された分割不可位置を示す説明図である。
【図１３】配筋ユニットの割付け状態を示す説明図である。
【図１４】間に挟まれた細い配筋ユニット線分が太い配筋ユニット線分に置換、統合された状態を示す説明図である。
【発明を実施するための形態】
【００２３】
以下、図面を参照して、本発明の好ましい実施の形態について説明する。本実施の形態における建物の基礎の配筋ユニットを割付けし直す割付け装置は、構造計算に基づいて定められた、配筋種を定めた配筋ユニットの割付パターンにおいて、同じ配筋種の配筋ユニット線分が直線状に隣り合って並んでいる場合に、これらの配筋ユニット線分を統合して一つの配筋ユニット線分として認識する認識手段と、当該配筋ユニット線分において、所定の条件に基づいて分割を不可とする位置を設定する設定手段と、前記分割不可位置を除く位置で前記配筋ユニット線分を分割して、最終的な配筋ユニットの割付けとする割付け手段と、を有している。
【００２４】
また、割付け装置は、例えば、筋径の異なる配筋ユニット線分が直線状に並んでいる場合に、筋径の太い配筋ユニット線分を長くし、筋径の細い配筋ユニット線分を短くして、各配筋ユニット線分の端部の位置を移動させる移動手段、筋径の異なる配筋ユニット線分が直線状に並んでいる場合に、筋径の細い配筋ユニット線分を筋径の太い配筋ユニット線分に置換すると共に統合して、一つの配筋ユニット線分として認識する認識手段、強度の異なる配筋ユニット線分が交差している場合に、当該交差点において、強度の低い配筋ユニット線分を分割する分割手段をさらに有している。
【００２５】
図１は、本実施の形態における配筋ユニットの割付け装置１のハードウェア構成図である。
【００２６】
割付け装置１は、例えばコンピュータであり、ＣＰＵ１０、記憶装置１１、入力装置１２、表示装置１３、出力装置１４等を有している。
【００２７】
ＣＰＵ１０は、配筋ユニットの割付け方法を実現するためのプログラムを実行する。このプログラム等により、本発明における上記認識手段、分割不可位置の設定手段、割付け手段、配筋ユニット線分の端部の移動手段、分割手段を実現している。
【００２８】
記憶装置１１は、ハードディスクや、光ディスクなどのストレージ手段であり、配筋ユニットの割付け方法を実行するためのプログラムや、構造計算により算出された、配筋種を定めた配筋ユニットの割付パターン、配筋ユニットの割付けを行うための各種条件、その他各種データを記憶できる。
【００２９】
入力装置１２は、キーボードや、マウス等のポインティングディバイスからなり、配筋ユニットの割付けのために必要なデータを入力できる。表示装置１３は、配筋ユニットの割付けのために必要なデータを表示し、出力装置１４は、必要に応じて配筋ユニットの割付け結果を出力できる。
【００３０】
割付け装置１は、インターネット等のネットワークを通じてサーバー２０に接続されており、ネットワークを通じてサーバー２０から、構造計算により算出された配筋ユニットの割付パターンを取り込むことができる。
【００３１】
次に、上記割付け装置１で行われる配筋ユニットの割付け方法について説明する。図２は、かかる割付け方法の一例を示すフロー図である。
【００３２】
先ず、ネットワークを通じてサーバー２０から、施工対象の家の構造計算により算出された配筋ユニットの配筋パターンを取得する（Ｓ１）。このデータは、記憶装置１１に記憶する。図３に示す割付パターン（配筋計画パターン）Ｐは、例えば図４に示す家の基礎伏図Ａをもとに、基礎に沿ったグリット線を配置し、そのグリット線上に、構造計算により算出された各配筋種の配筋ユニット線分を配置して作成されている。本構造計算は、グリッド毎に行うものが通常であり、多くの場合グリッドのスパン間の配金種は一定に定められる。このため、図３及び図４に示す構造計算を経た割付パターンＰは、グリッドのスパン毎に定められるものであり、この結果、配筋ユニット線分はグリッド間で規定されるものとなっている。かかる割付パターンＰを実際に施工するにあっては、当該グリッド間の配筋種と同様又はそれ以上の強度を有するものであれば、当該グリッドの縛りから外れて配筋ユニットを設置することも可能であり、本実施の形態においては、かかる観点から、グリッドの縛り（構造計算による割付パターンＰの縛り）を外れて、構造計算にて規定される強度を維持しつつ、配筋ユニットの施工及び搬送の観点から配筋ユニットの割付パターンを修正するものである。
【００３３】
本実施の形態においては、予め規定された配筋種として、例えば図５に示すような基礎断面が逆Ｔ字状の基礎用の配筋種（以下「ＫＧ」とする。）と、基礎断面が長方形状の基礎用の配筋種（以下「ＫＢ」とする）があり、配筋種ＫＧは、配筋種ＫＢよりも上下方向の配筋本数が多く、上下幅が大きい。配筋種ＫＧ、ＫＢには、筋径の異なる二種類の配筋種ＫＧ１、ＫＧ２、配筋種ＫＢ１、ＫＢ２がある。配筋種ＫＧ１は、配筋種ＫＧ２よりも筋径が太く、配筋種ＫＢ１は、配筋種ＫＢ２よりも筋径が太い。強度の高い順に、配筋種ＫＧ１、ＫＧ２、ＫＢ１、ＫＢ２となる。
【００３４】
次に、割付パターンＰにおいて、同じ配筋種の配筋ユニット線分が直線状に隣り合って並んでいる場合に、それらの配筋ユニット線分が統合され、一つの配筋ユニット線分として認識される（Ｓ２）。ここで同じ配筋種とは、適用される基礎形状が同じ（断面形状が同じ）で、筋径も同じものである。この工程では、例えば図６に示すように直線状に並んでいた配筋種ＫＧ１、ＫＧ２、ＫＢ１、ＫＢ２の配筋ユニット線分がそれぞれ統合される。
【００３５】
次に、割付パターンＰにおいて、所定の条件に基づいて分割を不可とする位置が設定される（Ｓ３）。例えば図７に示すように割付パターンＰにおいて、配筋ユニット線分の端部、及び、複数の配筋ユニット線分の相互の接点（十字交差点及びＴ字交差点）から所定距離以内の位置（例えば図７中のＲに囲まれた位置）が分割不可位置として設定される。具体的には、所定距離は、配筋ユニット線分の種類毎に設定されており、例えば配筋種ＫＧ１の配筋ユニット線分の端部、及び配筋種ＫＧ１の配筋ユニット線分の他の配筋ユニット線分との接点から１０００ｍｍ以内を分割不可位置と設定し、配筋種ＫＧ２の配筋ユニット線分の端部、及び配筋種ＫＧ２の配筋ユニット線分の他の配筋ユニット線分との接点から６５０ｍｍ以内を分割不可位置と設定する。また、配筋種ＫＢ１の配筋ユニット線分の端部、及び配筋種ＫＢ１の配筋ユニット線分の他の配筋ユニット線分との接点から５５０ｍｍ以内を分割不可位置と設定し、配筋種ＫＢ２の配筋ユニット線分の端部、及び配筋種ＫＢ２の配筋ユニット線分の他の配筋ユニット線分との接点から５００ｍｍ以内を分割不可位置と設定する。
【００３６】
次に、配筋ユニット線分が交差している位置で、断面形状が同じで筋径の異なる配筋種の配筋ユニット線分が直線状に並んでいる場合に、筋径の太い配筋ユニット線分を長くし、筋径の細い配筋ユニット線分を短くして、配筋ユニット線分の端部の位置を移動させる（Ｓ４）。例えば図８に示すように交差部にて配筋種ＫＢ１の配筋ユニット線分と配筋種ＫＢ２の配筋ユニット線分が直線状に並んでいる部分において、筋径の太い配筋種ＫＢ１の配筋ユニット線分を長くし、筋径の細い配筋種ＫＢ２の配筋ユニット線分を短くして、配筋種ＫＢ２の配筋ユニット線分と配筋種ＫＢ１の配筋ユニット線分の接続点を配筋ユニット線分の交差点からずらす。当該交差部は、配筋ユニットを連結するための定着筋等が多数入り込み、構成が著しく複雑となるが、このように太い筋径の配筋ユニット線分を長大化させ、その分だけ筋径の細い配筋ユニット線分を短小化することで、強度を低下させることなくこれら配筋ユニットの定着位置をずらし、結果として交差部の配筋施工の複雑化を防ぐことができる。
【００３７】
次に、上記所定の条件に基づいて、再度分割不可位置が設定される（Ｓ５）。このとき、前工程Ｓ４により配筋種ＫＢ１の配筋ユニット線分と配筋種ＫＲ２の配筋ユニット線分の端部の位置が変更されているので、図９中のＲに囲まれた位置の分割不可位置が変更される。なお、前工程Ｓ４において配筋ユニット線分の端部や複数の配筋ユニット線分の相互の接点の位置に変更がなければ、分割不可位置も変更されない。
【００３８】
次に、断面形状が同じで筋径の異なる配筋ユニットの配筋ユニット線分が直線状に並んでいる場合に、筋径の細い配筋ユニット線分が、筋径の太い配筋ユニット線分に置換され、それらが統合されて、一つの配筋ユニット線分として認識される（Ｓ６）。例えば図１０に示すように直線状に並んでいた配筋種ＫＢ２の配筋ユニット線分と配筋種ＫＢ１の配筋ユニット線分において、配筋種ＫＢ２の配筋ユニット線分が配筋種ＫＢ１の配筋ユニット線分に置換され統合され、一本の配筋種ＫＢ１の配筋ユニット線分として認識される。
【００３９】
次に、上記所定の条件に基づいて、再度分割不可位置が設定される（Ｓ７）。このとき、前工程Ｓ６により配筋ユニット線分の端部の位置や複数の配筋ユニット線分の相互の接点の位置が変更されている部分で、分割不可位置が変更される。
【００４０】
次に、強度の異なる配筋ユニット線分が交差している場合に、当該交差点において、強度の低い配筋ユニット線分が分割される（Ｓ８）。例えば図１１に点線円で示すように配筋種ＫＢ２の配筋ユニット線分と配筋種ＫＧ２の配筋ユニット線分が交差している場合に、配筋種ＫＢ２の配筋ユニット線分が分割される。また、配筋種ＫＧ１の配筋ユニット線分と配筋種ＫＧ２の配筋ユニット線分が交差している場合に、配筋種ＫＧ２の配筋ユニット線分が分割される。また、配筋種ＫＧ１の配筋ユニット線分と配筋種ＫＢ１の配筋ユニット線分が交差している場合に、配筋種ＫＢ１の配筋ユニット線分が分割される。また、配筋種ＫＢ１の配筋ユニット線分と配筋種ＫＧ２の配筋ユニット線分が分割されている場合に、配筋種ＫＢ１の配筋ユニット線分が分割される。
【００４１】
次に、上記所定の条件に基づいて、図１２に示すように再度分割不可位置が設定される（Ｓ９）。例えば図１２のＲで囲まれた位置が分割不可位置となる。
【００４２】
その後、上記分割不可位置を除く位置で、例えば図１３に示すように配筋ユニット線分を分割して、最終的な配筋ユニットの割付けが設定される（Ｓ１０）。なお、図１３には、配筋ユニット線分の分割部分の一例を点線円で示す。なお、この配筋ユニット線分の分割位置の決定は、所定条件の下、プログラムによって自動で行われてもよいし、ユーザが入力装置により入力して行ってもよい。
【００４３】
本実施の形態によれば、構造計算により算出された割付パターンＰにおいて、直線状に連続する同じ配筋種の配筋ユニット線分を統合し、一つの配筋ユニット線分として認識した後、所定条件に基づいて分割不可位置を設定し、その後配筋ユニット線分を分割して、それを配筋ユニットの割付けとすることができるので、配筋ユニットの数を可能な限り減らすことができ、また割付けの自由度を高くすることができる。これにより、基礎の施工のし易さや基礎の強度性能等を考慮した配筋ユニットの割付けを行うことができる。すなわち、構造計算にて規定される強度を維持しつつも配筋ユニットの施工及び搬送に有利な割付状態に改変して配筋ユニットの割付けを計画できる。
【００４４】
特に、本実施の形態では、配筋ユニット線分の端部、及び複数の配筋ユニット線分が相互に接する点から所定距離以内の位置の分割を不可としている。仮に配筋ユニット線分の端部から近い位置で分割すると、その部分に短い配筋ユニット線分が割付けられ、例えばその短い配筋ユニットと、その両側の他の配筋ユニットとの接続部分の相互の距離が短くなる。この結果、その領域の配筋密度が上がったり、配筋ユニット同士の接続のための部材がより多く必要になったりして、基礎の施工がし難くなる。またコンクリートが入り難くなるため、基礎の強度性能も下がる。また、仮に複数の配筋ユニット線分が相互に接する点から近い位置で分割すると、配筋密度の高い接点近くにさらに配筋ユニットの接続部分ができ、基礎の施工がし難くなり、また基礎の強度性能も低下する。本実施の形態では、配筋ユニット線分の端部や、複数の配筋ユニット線分が相互に接する点から所定距離以上離れたところで分割されるので、基礎の施工がし易くなり、また基礎の強度性能も確保できる。
【００４５】
また、本実施の形態では、筋径の異なる配筋ユニット線分が直線状に並んでいる場合に、筋径の太い配筋ユニット線分を長くし、筋径の細い配筋ユニット線分を短くして、配筋ユニット線分の端部の位置を移動させている（Ｓ４）。これにより、配筋ユニット線分の端部の位置を、配筋密度が高くなる例えば配筋ユニットの交差点からずらして、交差点における配筋密度を下げることができる。これにより基礎の施工がし易くなり、また基礎の強度性能も確保できる。また、太い配筋ユニットを長くしているので、基礎の強度が低下することもない。
【００４６】
また、本実施の形態では、筋径の異なる配筋ユニット線分が直線状に並んでいる場合に、筋径の細い配筋ユニット線分を筋径の太い配筋ユニット線分に置換し統合して、一つの配筋ユニット線分として認識する（Ｓ６）。これにより、配筋ユニットの数が減り、配筋ユニット同士の接続部分を減らすことができるので、基礎の施工がし易くなり、基礎の強度性能も確保できる。また、太い配筋ユニットに置換するので、基礎の強度が低下することもない。
【００４７】
なお、このＳ６工程において、筋径の太い配筋ユニット線分の間に筋径の細い配筋ユニット線分が直線状に並んでいる場合には、当該筋径の細い配筋ユニット線分を前記筋径の太い配筋ユニット線分に置換すると共に統合し、少なくともこれら３つの配筋ユニット線分を一つの配筋ユニット線分として認識してよい。例えば図１４（ａ）に示すように筋径の太い配筋種ＫＢ１の配筋ユニット線分の間に、筋径の細い配筋種ＫＢ２の配筋ユニット線分が直線状に並んでいる場合には、図１４（ｂ）に示すように筋径の細い配筋種ＫＢ２の配筋ユニット線分を、筋径の太い配筋種ＫＢ１の配筋ユニット線分に置換すると共に統合し、少なくともこれら３つの配筋ユニット線分を一つの配筋ユニット線分として認識する。こうすることによっても、配筋ユニットの数が減り、配筋ユニット同士の接続部分を減らすことができるので、基礎の施工がし易くなり、基礎の強度性能も確保できる。
【００４８】
また、本実施の形態では、強度の異なる配筋ユニット線分が交差している場合に、当該交差点において、強度の低い配筋ユニット線分を分割する（Ｓ８）。これにより、交差点での配筋ユニットの取り付けを適切に行うことができる。また、強度の低い配筋ユニット線分を分割するので、基礎の強度が低下することもない。
【００４９】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
例えば、上記は鉄筋コンクリート製の連続基礎の設計に用いられる配筋ユニットの割付けに関するものとなっているが、当該連続基礎のみならず、鉄筋コンクリート造からなる上部構造体の梁や柱、また、鉄筋コンクリート壁等にも採用することができる。
【産業上の利用可能性】
【００５０】
本発明は、基礎の施工のし易さや基礎の強度性能等を考慮した配筋ユニットの割付けを行う際に有用である。
【符号の説明】
【００５１】
１  割付け装置
ＫＧ１、ＫＧ２、ＫＢ１、ＫＢ２  配筋種
Ｐ  割付パターン
【図１】
2014174964.tif 000003
【図２】
2014174964.tif 000004
【図３】
2014174964.tif 000005
【図４】
2014174964.tif 000006
【図５】
2014174964.tif 000007
【図６】
2014174964.tif 000008
【図７】
2014174964.tif 000009
【図８】
2014174964.tif 000010
【図９】
2014174964.tif 000011
【図１０】
2014174964.tif 000012
【図１１】
2014174964.tif 000013
【図１２】
2014174964.tif 000014
【図１３】
2014174964.tif 000015
【図１４】
2014174964.tif 000016